(57)【要約】【課題】  耐震性、安全性および使用性に優れた耐震ベッドを提供する。【解決手段】  一本のスチールパイプを折り曲げて正面略逆Ｕ字状に形成し、前後方向に所定間隔を空けて対向位置する一対のフレーム体１１の中央部に梯子部材１２を垂直方向に設けて構成したヘッドフッド１０と、一対のフレーム体１１の上端部間に全体にわたって設けられたアッパーガードレール２０と、一対のヘッドフッド１０の下部間に全体にわたって水平方向に設けられ、主としてメッシュ部材３１で構成されたメッシュボトム３０と、メッシュボトム３０の左右端部に沿って設けられたサイドガードレール４０とを設けて構成する。【選択図】    図１
0003172378.tif 000002
【実用新案登録請求の範囲】
【請求項１】
一本のスチールパイプを折り曲げて正面略逆Ｕ字状に形成したフレーム体（１１）の中央部に梯子部材（１２）を垂直方向に設けて構成したところのヘッドフッド（１０）を，前後方向に所定間隔を空けて対向位置し、前後のフレーム体（１１，１１）の上端部間に全体にわたってアッパーガードレール（２０）を設け、主としてメッシュ部材（３１）で構成されたメッシュボトム（３０）を，前後のヘッドフッド（１０，１０）の下部間に全体にわたって水平方向に設け、メッシュボトム（３０）の左右端部に沿って前後方向にサイドガードレール（４０，４０）を設けたことを特徴とする耐震ベッド。
【請求項２】
一本のスチールパイプを折り曲げて正面略逆Ｕ字状に形成したフレーム体（１１）の中央部に梯子部材（１２）を垂直方向に設けて構成したところのヘッドフッド（１０）を，前後方向に所定間隔を空けて対向位置し、前後のフレーム体（１１，１１）の上端部間に全体にわたってアッパーガードレール（２０）を設け、主としてメッシュ部材（３１）で構成されたメッシュボトム（３０）を，前後のヘッドフッド（１０，１０）の下部間に全体にわたって水平方向に設け、メッシュボトム（３０）の左右端部に沿って前後方向にサイドガードレール（４０，４０）を設け、前記梯子部材，アッパーガードレール，およびサイドガードレールをスチールパイプで構成したことを特徴とする耐震ベッド。
【考案の詳細な説明】
【技術分野】
【０００１】
本考案は、耐震性、安全性および使用性に優れたベッドに関するものである。
【背景技術】
【０００２】
地震大国といわれる我が国では、各地で身体で感じる大きな地震が頻発している。こうした大きな地震によって負傷する原因の約４０％は、家具類の転倒や落下物によるものであると言われている。特に、就寝中に大きな地震に見舞われた場合、周囲が暗いこともあって転倒する家具や落下物から使用者の身を守ることが困難である。
【０００３】
こうした点に鑑み、これまでに地震から身を守ることができる構造を備えた耐震ベッドが創案されている（例えば、特許文献１参照）。この従来の耐震ベッドは、ベッドの周辺に補強した家具等を設置し、脱出する際に必要な物を戸棚に収納するようにしたものである。
【先行技術文献】
【特許文献】
【０００４】
【特許文献１】特開２００３−０１０００６号公報
【考案の概要】
【考案が解決しようとする課題】
【０００５】
しかし、従来の耐震ベッドは構造が大掛かりで重量が嵩むため製造および取り扱いが厄介であると共に、室内において広い空間を占拠するので圧迫感があり、使用性に欠ける。
【０００６】
本考案はこうした問題に鑑み創案されたもので、耐震性および安全性に優れると共に、使用性にも優れた耐震ベッドを提供することを課題とする。
【課題を解決するための手段】
【０００７】
図１乃至図５を参照して説明する。請求項１に記載の耐震ベッド１は、一本のスチールパイプを折り曲げて正面略逆Ｕ字状に形成したフレーム体１１の中央部に梯子部材１２を垂直方向に設けて構成したところのヘッドフッド１０を，前後方向に所定間隔を空けて対向位置し、前後のフレーム体１１，１１の上端部間に全体にわたってアッパーガードレール２０を設け、主としてメッシュ部材３１で構成されたメッシュボトム３０を，前後のヘッドフッド１０，１０の下部間に全体にわたって水平方向に設け、メッシュボトム３０の左右端部に沿って前後方向にサイドガードレール４０，４０を設けたものである。
【０００８】
請求項２に記載の耐震ベッド１は、一本のスチールパイプを折り曲げて正面略逆Ｕ字状に形成したフレーム体１１の中央部に梯子部材１２を垂直方向に設けて構成したところのヘッドフッド１０を，前後方向に所定間隔を空けて対向位置し、前後のフレーム体１１，１１の上端部間に全体にわたってアッパーガードレール２０を設け、主としてメッシュ部材３１で構成されたメッシュボトム３０を，前後のヘッドフッド１０，１０の下部間に全体にわたって水平方向に設け、メッシュボトム３０の左右端部に沿って前後方向にサイドガードレール４０，４０を設けたものである。
【０００９】
また、一対のフレーム体１１に加えて、前記梯子部材１２、アッパーガードレール２０、およびサイドガードレール４０をスチールパイプで構成している。
【考案の効果】
【００１０】
請求項１に係る耐震ベッド１は、ヘッドフッド１０を、一本のスチールパイプを折り曲げて形成した一対のフレーム体１１を設けて構成したので、構造強度が高く、かつ軽量である。従って、耐震性および安全性に優れる。また、スチールパイプは軽量であるため、搬送や組立てを容易に行うことができ、よって使用性にも優れる。
【００１１】
また、アッパーガードレール２０を設けているので、使用者を、落下物や家具の転倒から守ることができる。従って、安全性に極めて優れる。
【００１２】
また、メッシュボトム３０を、主としてメッシュ部材３１で構成したので、通気性に優れる。従って、その上に載せる寝具を清潔に維持することができる。また、このメッシュボトム３０は軽量であるため、搬送や組立てを容易に行うことができ、従って使用性にも優れる。
【００１３】
また、サイドガードレール４０を設けているので、使用者の転落を防止することができ、これによっても優れた安全性を発揮することができる。また、寝具の落下も防止することができるので、使用性に優れる。
【００１４】
請求項２に係る耐震ベッド１は、請求項１に記載の考案と同様の効果を発揮する。また、フレーム体１１に加えて、梯子部材１２、アッパーガードレール２０、およびサイドガードレール４０をスチールパイプで構成したので、軽量化を図ることができる。これにより、搬送や組立てを容易に行うことができるので、使用性に優れる。
【図面の簡単な説明】
【００１５】
【図１】本考案に係る耐震ベッドの実施形態を示す斜視図である。
【図２】本考案に係る耐震ベッドのヘッドフッドを示す正面図である。
【図３】本考案に係る耐震ベッドのアッパーガードレールを示すもので、（ａ）は平面図、（ｂ）は正面図である。
【図４】本考案に係る耐震ベッドのメッシュボトムを示す平面図である。
【図５】本考案に係る耐震ベッドのサイドガードレールを示す側面図である。
【考案を実施するための形態】
【００１６】
本考案に係る耐震ベッド１の一実施形態を、図１乃至図５に示す。この耐震ベッド１は、幅が約１．１ｍ、長さが約２．１ｍ、高さが１．５ｍであり、主として室内に設置されるものである。この耐震ベッド１は、ヘッドフッド１０、アッパーガードレール２０、メッシュボトム３０およびサイドガードレール４０を備える。
【００１７】
ヘッドフッド１０は、一対のフレーム体１１と梯子部材１２とで構成される。各フレーム体１１は、一本のスチールパイプ（外径５０ｍｍの炭素鋼丸パイプ）を折り曲げて正面略逆Ｕ字状に形成し、前後方向に所定間隔を空けて対向位置させている。
【００１８】
梯子部材１２は、スチールパイプで形成され、各フレーム体１１の中央部に垂直方向に設けられている。この梯子部材１２は、一対の垂直部材１２ａと、その間に設けられた複数の水平部材１２ｂとで構成され、ボルトによってフレーム体１１に固定される。また、一対のフレーム体１１の下部には、メッシュ部材３１を上載して支持するための支持部材１１ａを設けている。
【００１９】
アッパーガードレール２０は、一対のフレーム体１１の上端部間に、その全体にわたって設けられている。このアッパーガードレール２０は、前後方向に配置された複数の前後部材２１と、その間に左右方向に設けられた複数の左右部材２２とで構成される。これらの部材はスチールパイプ（外径が３８ｍｍと２８ｍｍの２種類の炭素鋼丸パイプ）で構成されている。アッパーガードレール２０の前後両端部は、ボルトおよび補強部材によってフレーム体１１の上端部に固定されている。
【００２０】
メッシュボトム３０は、一対のヘッドフッド１０の下部間に、その全体にわたって水平方向に設けられ、メッシュ材であるメッシュ部材３１と、その周囲を支持する剛性の高い枠部材とで構成されている。メッシュ部材３１の上には、マットレスなどの寝具が載せられる。
【００２１】
サイドガードレール４０は、メッシュボトム３０の左側端部と右側端部のそれぞれに沿って前後方向に設けられ、水平方向に配置した横部材４１と、その間に垂直方向に配置された縦部材４２とで構成される。このサイドガードレール４０は、ボルトによってフレーム体１１に固定される。
【００２２】
本実施形態に係る耐震ベッド１は、ヘッドフッド１０を、一本のスチールパイプを折り曲げて形成した一対のフレーム体１１を設けて構成しているので、構造強度が高く、かつ軽量である。従って、耐震性および安全性に優れる。また、梯子部材１２もスチールパイプで構成しているので、ヘッドフッド１０の全体が軽量となり、搬送や組立てが容易である。従って、極めて使用性に優れる。
【００２３】
なお、梯子部材１２を設けているので、例えば、床上浸水等が発生した場合に、使用者等は、この梯子部材１２を利用してアッパーガードレール２０に避難することができる。また、重要書類等をアッパーガードレール２０上に持ち運ぶことによって水から守ることができる。
【００２４】
また、アッパーガードレール２０を設けているので、使用者を、落下物や家具の転倒から守ることができる。従って、極めて安全性に優れる。このアッパーガードレール２０もスチールパイプで構成しているので軽量であり、使用性に優れる。
【００２５】
また、メッシュボトム３０を、枠体３２とメッシュ部材３１とで構成しているので、軽量であり、使用に優れる。また、メッシュ材であるメッシュ部材３１を使用しているので通気性に優れる。従って、その上に載せる寝具を清潔に保つことができる。
【００２６】
さらに、サイドガードレール４０を設けているので、使用者の転落を防止することができ、これによっても優れた安全性を発揮することができる。また、寝具の落下を防止できるので、使用性に優れる。さらに、このサイドガードレール４０もスチールパイプで構成しているので軽量であり、使用性に優れる。
【００２７】
なお、この耐震ベッド１を構成するスチールパイプの間からその向こう側を見ることができる。従って、狭い室内に設置した場合でも、圧迫感を感じさせないといった利点がある。
【符号の説明】
【００２８】
１        耐震ベッド
１０      ヘッドフッド
１１      フレーム体
１１ａ    支持部材
１２      梯子部材
１２ａ    垂直部材
１２ｂ    水平部材
２０      アッパーガードレール
２１      前後部材
２２      左右部材
３０      メッシュボトム
３１      メッシュ部材
３２      枠体
４０      サイドガードレール
４１      横部材
４２      縦部材
【図１】
0003172378.tif 000003
【図２】
0003172378.tif 000004
【図３】
0003172378.tif 000005
【図４】
0003172378.tif 000006
【図５】
0003172378.tif 000007